(57)【要約】【課題】ＤＰＯＦ印刷の設定がされた画像について、写真印刷指示シートからでも印刷命令指示を選択できる画像処理装置及び画像処理装置の制御方法を提供することを目的とする。【解決手段】画像ファイルを蓄積する蓄積手段と、上記蓄積手段に蓄積されている画像ファイルについて印刷指示情報の有無を検出する検出手段と、上記蓄積手段に蓄積されている画像ファイルを印刷するための写真印刷指示シートを作成する作成手段であって、上記検出手段の検出結果に対応している指示シートを作成する作成手段とを有する画像処理装置である。【選択図】図８
2009246616.tif 000002
【特許請求の範囲】
【請求項１】
画像ファイルを蓄積する蓄積手段と；
上記蓄積手段に蓄積されている画像ファイルについて印刷指示情報の有無を検出する検出手段と；
上記蓄積手段に蓄積されている画像ファイルを印刷するための写真印刷指示シートを作成する作成手段であって、上記検出手段の検出結果に対応している指示シートを作成する作成手段と；
を有することを特徴とする画像処理装置。
【請求項２】
請求項１において、
上記印刷指示情報が有ることを、上記検出手段が検出すると、上記作成手段は、上記印刷指示情報に従った印刷指示をするためのマークを含む写真印刷指示シートを作成する手段であることを特徴とする画像処理装置。
【請求項３】
請求項２において、
上記作成手段は、蓄積手段に蓄積されている画像ファイルと、上記画像ファイルを指定するマークが配置される領域に印刷指示をするためのマークが配置されている写真印刷指示シートとを作成する手段であることを特徴とする画像処理装置。
【請求項４】
請求項２において、
上記蓄積手段に蓄積されている画像ファイルと、この画像ファイルを指定するマークとを対応付けている情報と印刷指示情報との有無をコード化する生成手段を有し、
上記作成手段は、上記生成手段が生成したコードと、印刷を指示するマークとを構成する写真印刷指示シートを作成する手段であることを特徴とする画像処理装置。
【請求項５】
請求項１において、
上記作成手段は、上記検出手段による検出結果に応じて、上記蓄積手段に蓄積されている画像ファイルと上記画像ファイルを指定するマークを配列した写真印刷指示シートとを作成する手段であることを特徴とする画像処理装置。
【請求項６】
画像ファイルを蓄積する蓄積工程と；
上記蓄積工程で蓄積された画像ファイルについて印刷指示情報の有無を検出する検出工程と；
上記蓄積工程で蓄積された画像ファイルを印刷するための写真印刷指示シートを作成する作成工程であって、上記検出工程での検出結果に対応している指示シートを作成する作成工程と；
を有することを特徴とする画像処理装置の制御方法。
【発明の詳細な説明】
【技術分野】
【０００１】
本発明は、写真印刷指示シートを、印刷し、解析する画像処理装置に関する。
【背景技術】
【０００２】
最近、読取部と記録部とを具備する複合機（以下、「ＭＦＰ」という）の多機能化が進んでいる。そのなかの１つに、デジタルスチルカメラで撮影した写真を、ＰＣを使わずに容易に印刷する機能（以下、「ダイレクト写真印刷」という）がある。ダイレクト写真印刷は、たとえば、ＭＦＰのカードスロットにメモリカードを装着し、ＭＦＰのキー操作によって、ＬＣＤ表示画面を確認しながら、所望の写真を選択して印刷する方法（以下、「キー操作方式」という）で実行される。
【０００３】
ところで、価格やデザイン等の理由から、ＬＣＤや豊富なキーデバイスを備えないＭＦＰも提案されている。そのようなＭＦＰでは、キー操作方式でダイレクト写真印刷を行なうことが困難であるので、表示デバイスやキーデバイスに影響され難いシートスキャン方式でダイレクト写真印刷を実現している。
【０００４】
シートスキャン方式は、ユーザが鉛筆やペン等で記入したマークシートを読み取り、解析した印刷制御命令を実行することによって、所望の写真を印刷する方法である。様々な画像処理を、シートスキャン方式によって実現する提案がされている（たとえば、特許文献１参照）。
【０００５】
また、デジタルスチルカメラで撮影した写真について、デジタルスチルカメラで印刷設定を行なうＤＰＯＦ印刷という機能がある。このＤＰＯＦ印刷が設定された時点で、ユーザが印刷を所望するという意志が働いているので、わざわざＬＣＤ画面でユーザが確認する必要がない。
【特許文献１】特開２００５−２３６９８３号公報
【発明の開示】
【発明が解決しようとする課題】
【０００６】
一方で、ＤＰＯＦ印刷が設定された写真を、印刷するときに再度確認することを望む場合、プリンタのＬＣＤ画面が、その写真を確認できる程度の大きさがなければ、ユーザが確認してから印刷することができないという問題がある。つまり、ＤＰＯＦ印刷のように、デジタルスチルカメラで設定されメモリカード上に存在する印刷命令に関連付けられた写真を、ユーザが確認してから印刷することができないという問題がある。
【０００７】
また、特許文献１に開示されているシートスキャン方式でのダイレクト写真印刷では、ＤＰＯＦ印刷の設定がされたメモリカードの画像について、写真印刷指示シートを使用して、新規の印刷命令を、再度作成しなければならないという問題がある。
【０００８】
本発明は、ＤＰＯＦ印刷の設定がされた画像について、写真印刷指示シートからでも印刷命令指示を選択できる画像処理装置及び画像処理装置の制御方法を提供することを目的とする。
【課題を解決するための手段】
【０００９】
本発明は、画像ファイルを蓄積する蓄積手段と、上記蓄積手段に蓄積されている画像ファイルについて印刷指示情報の有無を検出する検出手段と、上記蓄積手段に蓄積されている画像ファイルを印刷するための写真印刷指示シートを作成する作成手段であって、上記検出手段の検出結果に対応している指示シートを作成する作成手段とを有する画像処理装置である。
【発明の効果】
【００１０】
本発明によれば、ＤＰＯＦ印刷の設定がされた画像について、写真印刷指示シートからでも印刷命令指示を選択できるという効果を奏する。
【発明を実施するための最良の形態】
【００１１】
発明を実施するための最良の形態は次の実施例である。
【実施例１】
【００１２】
図１は、本発明の実施例１である画像処理装置１００の外観を示す斜視図である。
【００１３】
画像処理装置１００は、読取部と記録部とを具備する複合機であり、操作部１と、カードインタフェース２と、読取部３と、記録部４とを有する。
【００１４】
通常は、図１（１）に示すように、読取部３、記録部４を閉じた状態で設置する。そして、コピーするときや、実施例１のシートスキャン方式によるダイレクト写真印刷をするときには、図１（２）に示すように、読取部３、記録部４を開いて、ユーザが所望する機能を実行する。
【００１５】
図２は、画像処理装置１００の構成を示すブロック図である。
【００１６】
画像処理装置１００は、操作部１と、カードインタフェース２と、読取部３と、記録部４と、ＣＰＵ１０と、ＲＯＭ１１と、ＲＡＭ１２と、不揮発性ＲＡＭ１３と、画像処理部１４と、駆動部１５と、センサ部１６とを有する。
【００１７】
ＣＰＵ１０は、画像処理装置１００が具備している様々な機能を制御し、操作部１における所定の操作に従い、ＲＯＭ１１に記憶されている画像処理のプログラムを実行する。ＲＯＭ１１は、画像処理装置１００の制御命令プログラム等を格納している。
【００１８】
読取部３は、ＣＣＤを備え、このＣＣＤは、原稿画像を読み取り、赤（Ｒ）、緑（Ｇ）及び青（Ｂ）色のアナログ輝度データを出力する。なお、読取部３は、ＣＣＤの代わりに、密着型イメージセンサ（ＣＩＳ）を使用するようにしてもよい。また、読取部３は、後述する写真印刷指示シートの読み取りにも使用される。
【００１９】
カードインタフェース２は、たとえばデジタルスチルカメラで撮影され、メモリカード等に記録されている画像データを、操作部１の所定の操作に応じて読み込む。なお、カードインタフェース２を介して読み込まれた画像データの色空間は、必要ならば、デジタルスチルカメラの色空間（たとえばＹＣｂＣｒ）から、標準的なＲＧＢ色空間（たとえばＮＴＳＣ−ＲＧＢやｓＲＧＢ）に変換される。また、画像データを包括する画像ファイルに含まれているヘッダ情報に基づいて、読み込まれた画像データは、有効な画素数への解像度変換等、アプリケーションに必要な様々な処理が必要に応じて施される。
【００２０】
画像処理部１４は、画像解析、サムネイル作成、サムネイル補正、出力画像補正等の画像処理を行い、これらの画像処理によって得られた印刷データは、ＲＡＭ１２に格納される。ＲＡＭ１２に格納された印刷データが、記録部４で記録する場合に必要な所定量に達すると、記録部４が記録動作を実行する。
【００２１】
なお、上記画像処理では、記録用紙サイズや、記録用紙タイプ、日付を付与する／しない、フチなし印刷する／しない等、様々な印刷設定によって、異なる印刷データが作成される。
【００２２】
また、不揮発性ＲＡＭ１３は、バッテリバックアップされたＳＲＡＭ等であり、画像処理装置１００に固有のデータ等を記憶する。操作部１は、記憶媒体に記憶された画像データを選択し、記録をスタートするために、ダイレクト写真印刷スタートキー、モノクロコピー時やカラーコピー時におけるモノクロコピースタートキー、カラーコピースタートキーを有する。
【００２３】
操作部１は、カラーコピースタートキー、コピー解像度や画質等、モードを指定するモードキー、コピー動作等を停止するためのストップキー、コピー数を入力するテンキーや登録キー、印刷する画像ファイル選択手段を指定するカーソルキー等を有する。ＣＰＵ１０は、これらのキーの押下状態を検出し、この押下状態に応じて、各部を制御する。
【００２４】
記録部４は、インクジェット方式のインクジェットヘッド、汎用ＩＣ等によって構成され、ＣＰＵ１０の制御によって、ＲＡＭ１２に格納されている記録データを読み出し、ハードコピーとして印刷出力する。
【００２５】
駆動部１５は、読取部３、記録部４のそれぞれの動作において、給排紙ローラを駆動するためのステッピングモータと、ステッピングモータの駆動力を伝達するギヤと、ステッピングモータを制御するドライバ回路等によって構成されている。
【００２６】
センサ部１６は、記録紙幅センサ、記録紙有無センサ、原稿幅センサ、原稿有無センサ、記録媒体検知センサ等によって構成されている。ＣＰＵ１０は、これらのセンサから得た情報に基づいて、原稿と記録紙との状態を検知する。
【００２７】
なお、実施例１で説明する画像処理装置１００は、図２に示す構成であるが、本発明はＭＦＰの構成について特に限定しない。たとえば、実施例１の画像処理装置１００は、表示部を具備しないが、表示部を具備するようにしてもよい。
【００２８】
ＲＡＭ１２は、画像ファイルを蓄積する蓄積手段の例である。ＣＰU１０は、蓄積手段に蓄積されている画像ファイルについて印刷指示情報の有無を検出する検出手段の例である。
【００２９】
また、ＣＰU１０は、蓄積手段に蓄積されている画像ファイルを印刷するための写真印刷指示シートを作成する作成手段であって、上記検出手段の検出結果に対応している指示シートを作成する作成手段の例である。この作成手段は、上記印刷指示情報が有ることを、上記検出手段が検出すると、上記印刷指示情報に従った印刷指示をするためのマークを含む写真印刷指示シートを作成する手段である。さらに、上記作成手段は、蓄積手段に蓄積されている画像ファイルと、上記画像ファイルを指定するマークが配置される領域に印刷指示をするためのマークが配置されている写真印刷指示シートとを作成する手段である。
【００３０】
そして、上記実施例では、蓄積手段に蓄積されている画像ファイルと、この画像ファイルを指定するマークとを対応付けている情報と印刷指示情報との有無をコード化する生成手段が設けられている。また、上記作成手段は、上記生成手段が生成したコードと、印刷を指示するマークとを構成する写真印刷指示シートを作成する手段である。さらに、上記作成手段は、上記検出手段による検出結果に応じて、上記蓄積手段に蓄積されている画像ファイルと上記画像ファイルを指定するマークを配列した写真印刷指示シートとを作成する手段である。
【００３１】
次に、実施例１の動作の概要について説明する。
【００３２】
図３は、実施例１において、写真印刷指示シートＳＨ１を印刷する場合における説明図である。
【００３３】
図４は、実施例１において、写真印刷指示シートＳＨ１を読み取る場合における説明図である。
【００３４】
シートスキャン方式によるダイレクト写真印刷機能は、図３に示す写真印刷指示シートＳＨ１を印刷し、図４に示す写真印刷指示シートＳＨ１を解析することによって、ユーザが所望の写真を印刷する機能である。
【００３５】
画像処理装置１００に接続されたメモリカードに記録されている画像データ２１と、印刷命令ファイル２２とに基づいて、予め決められているレイアウト（後述する）に従って、記録部４が、写真印刷指示シートＳＨ１を印刷する。
【００３６】
写真印刷指示シートＳＨ１を、読取部３が、スキャンし、解析することによって、印刷結果２４を得る。
【００３７】
図５は、実施例１において、シートスキャン方式のダイレクト写真印刷の処理開始から処理終了までの全体的な動作を示すフローチャートである。
【００３８】
シートスキャン方式のダイレクト写真印刷処理は、次の４つのステップに大別される。すなわち、写真印刷指示シート印刷（Ｓ１）、写真印刷指示シート記入（Ｓ２）、写真印刷指示シート解析（Ｓ３）、写真印刷（Ｓ４）である。
【００３９】
写真印刷指示シート記入（Ｓ２）は、ユーザによって実行される。
【００４０】
実施例１の主な動作は、写真印刷指示シート印刷（Ｓ１）と、写真印刷指示シート解析と（Ｓ３）である。
【００４１】
次に、写真印刷指示シートＳＨ１について説明する。
【００４２】
図６は、画像処理装置１００が印刷する写真印刷指示シートＳＨ１を模式的に示す図である。
【００４３】
写真印刷指示シートＳＨ１は、たとえば、Ａ４サイズの記録紙にレイアウトされた印刷物である。まず、写真印刷指示シートＳＨ１の責務について説明する。写真印刷指示シートＳＨ１は、ダイレクト写真印刷を行なう場合に必要な設定を、シートスキャン方式によって実行するためのシートである。
【００４４】
写真印刷指示シートＳＨ１が指示する内容は、次の２つの指示に大別される。すなわち、第１の指示は、記録部４が印刷データを印刷するために必要な印刷制御の内容を指示する印刷制御指示である。第２の指示は、メモリに記録されている画像データのどれを印刷対象とするかを指示する画像選択指示である。
【００４５】
次に、写真印刷指示シートの構成について説明する。
【００４６】
メモリにＤＰＯＦファイルが存在するか否かによって、写真印刷指示シートのレイアウトが異なる。そこで、まず、メモリにＤＰＯＦファイルが存在しないときに作成される写真印刷指示シートＳＨ１の構成を説明する。なお、上記ＤＰＯＦ印刷は、デジタルスチルカメラで印刷設定をした後に行なう印刷である。
【００４７】
写真印刷指示シートＳＨ１は、メモリにＤＰＯＦファイルが存在しないときの写真印刷指示シートであり、ヘッダー部３１、画像選択部３２、フッター部３３、バーコード部３４を有する。
【００４８】
ヘッダー部３１は、上記印刷制御指示をマークによって入力するためのエリアである。ここで指示することができる印刷制御指示は、画像処理装置１００の記録部４と、画像処理部１４の仕様とに依存する。したがって、ユーザは、画像処理装置１００の仕様に合致して予め与えられている選択肢の中から、所望の設定を選ぶ方法に適したマークシート方式を採用している。具体的には、図６に示すヘッダー部３１の「印刷の設定」項目は、Ｌ判サイズ、２Ｌ判サイズ、Ａ４サイズ、ＬＴＲサイズのうちから、１つを選択できる仕様である。
【００４９】
また、ヘッダー部３１の「オプション設定」の項目として、印刷する画像の効果処理に関する選択肢が提供されている。図６に示す写真印刷指定シートＳＨ１では、日付、自動補正、顔明るく補正、赤目補正をいくつでも選択できる。
【００５０】
なお、実施例１では、ヘッダー部３１で設定する印刷制御の内容については、特に限定しない。「印刷の設定」や「オプション設定」は、図６に示す設定以外の設定内容であってもよい。
【００５１】
画像選択部３２は、メモリに記憶されている画像データのうちで、印刷したい対象を、マークによって入力するエリアである。ここで選択できる画像は、メモリに記憶され、かつ写真印刷指示シートＳＨ１で縮小画像がレイアウトされている画像である。画像選択部３２では、画像「１」〜「３０」までの合計３０枚の画像を選択できる。したがって、３１枚以上の画像データがメモリに記憶されている場合、写真印刷指示シートを２枚以上印刷する。ただし、実施例１では、写真印刷指示シートＳＨ１の画像選択部３２にレイアウト可能な画像枚数を３０画像としているが、レイアウト可能な画像枚数を特に規定しない。
【００５２】
フッター部３３には、写真印刷指示シートＳＨ１にユーザがマーク記入した後の操作手順が記載されている。実施例１の写真印刷指示シートＳＨ１には、フッター部３３を設けているが、フッター部３３を設けないようにしてもよい。
【００５３】
バーコード部３４には、ヘッダー部３１で指定された印刷制御指示以外に、ダイレクト写真印刷に必要な情報が含まれている。たとえば、写真印刷指示シートＳＨ１に含まれている画像データの総数（図６では３０画像）が、バーコード部３４に含まれている。また、ＤＰＯＦファイルがメモリに存在しているか否かの情報も、バーコード部３４に含まれている。なお、実施例１では、バーコード部３４の形式について特に限定していない。
【００５４】
なお、実施例１では、ヘッダー部３１、画像選択部３２、フッター部３３、バーコード部３４のレイアウト位置については特に規定していないので、図６に示すレイアウト以外の仕様によって、写真印刷指示シートＳＨ１を構成するようにしてもよい。
【００５５】
図７は、ＤＰＯＦファイルがメモリに存在するときの写真印刷指示シートＳＨ２を模式的に示す図である。
【００５６】
写真印刷指示シートＳＨ２は、ＤＰＯＦファイルがメモリに存在するときの写真印刷指示シートであり、ヘッダー部３１、画像選択部４２、フッター部３３、バーコード部４４で構成されている。
【００５７】
画像選択部４２は、メモリの画像データのうちで印刷したい対象を、マークによって入力するエリアである。ここで選択することができる画像は、メモリに記憶され、かつ写真印刷指示シートＳＨ２で縮小画像がレイアウトされている画像である。
【００５８】
また、ＤＰＯＦ印刷指示部４５は、画像選択部４２に印刷されている指示部であって、ＤＰＯＦ印刷を実行する旨を説明する部分であり、画像選択部４２にレイアウトされている。ＤＰＯＦ印刷指示部４５がマークされると、ＤＰＯＦ印刷を実行する。
【００５９】
画像選択部４２では、ＤＰＯＦ印刷指示部４５がレイアウトされているので、選択可能な画像データは、図６に示す写真印刷指示シートＳＨ１に表示されている３０枚よりも、１枚少ない２９枚である。つまり、画像「１」〜「２９」までの合計２９枚の画像を選択することができる。したがって、３０枚以上の画像データがメモリに存在すると、写真印刷指示シートＳＨ２を２枚以上印刷する。
【００６０】
また、写真印刷指示シートＳＨ２の２枚目以降には、ＤＰＯＦ印刷指示部４５をレイアウトしなくてもよいので、２枚目以降の写真印刷指示シートに、レイアウト可能な画像枚数は３０枚である。
【００６１】
また、写真印刷指示シートＳＨ２では、画像選択部４２にレイアウト可能な画像枚数が２９画像であるが、レイアウト可能な画像枚数を特には規定しない。
【００６２】
バーコード部４４には、ヘッダー部３１で指定された印刷制御指示以外に、ダイレクト写真印刷に必要な情報が含まれている。たとえば、写真印刷指示シートに含まれている画像データの総数（図７では２９画像）が、バーコード部４４に含まれている。また、後述するが、ＤＰＯＦファイルがメモリに存在するか否かの情報も、バーコード部４４に含まれている。なお、バーコード部４４の形式について、特に限定しない。
【００６３】
なお、写真印刷指示シートＳＨ２では、ヘッダー部３１、画像選択部４２、フッター部３３、バーコード部４４のレイアウト位置については特に規定していないので、図７に示すレイアウト以外の仕様で、写真印刷指示シートＳＨ２を構成するようにしてもよい。
【００６４】
＜写真印刷指示シートの印刷＞
次に、写真印刷指示シートＳＨ１、ＳＨ２を、条件によって切り替える動作について説明する。
【００６５】
図８は、写真印刷指示シートＳＨ１、ＳＨ２を印刷する動作を示すフローチャートである。
【００６６】
写真印刷指示シートを印刷することが指示されると、Ｓ１１で、ヘッダー部３１が作成され、Ｓ１２で、メモリ解析が行われ、画像選択部３２、４２に印刷する画像データの確認と、ＤＰＯＦファイルが存在するか否かについて解析される。Ｓ１２での解析の結果、Ｓ１３で、ＤＰＯＦファイルが存在すると判定されたら、Ｓ１４で、ＤＰＯＦ印刷指示部４５を作成する。ＤＰＯＦ印刷指示部４５は、画像選択部４２に印刷される縮小された画像ファイルに類似したものである。したがって、このときは、写真印刷指示シートＳＨ２を印刷する。
【００６７】
Ｓ１２での解析の結果、Ｓ１３で、ＤＰＯＦファイルが存在しないと判定されたら、なにもせずに、Ｓ１５へ進む。Ｓ１５で、画像選択部３２、４２を作成する。
【００６８】
次に、Ｓ１６で、フッター部３３を作成する。
【００６９】
次に、Ｓ１７で、再度ＤＰＯＦファイルがメモリに存在するか否かを判定し、メモリにＤＰＯＦファイルが存在すれば、Ｓ１８で、ＤＰＯＦバーコード設定を有効にし、Ｓ２０で、バーコード部４４を作成する。一方、ＤＰＯＦファイルが存在しなければ、Ｓ１９で、ＤＰＯＦバーコード設定を無効にして、Ｓ２０で、バーコード部３４を作成する。
【００７０】
画像選択部３２と画像選択部４２とでは、印刷される縮小画像の配置が異なる。そのため、バーコード化されるメモリの画像とマーク位置の対応付け情報も変更される。
【００７１】
Ｓ１１〜Ｓ２０の処理によって、写真印刷指示シートＳＨ１またはＳＨ２が作成され、Ｓ２１で、印刷する。
【００７２】
＜写真印刷指示シートへの記入＞
次に、印刷された写真印刷指示シートＳＨ１またはＳＨ２に、ユーザが記入する。
【００７３】
図９は、ＤＰＯＦファイルがないときに印刷される写真印刷指示シートＳＨ１をマーキングした例を示す図である。
【００７４】
ヘッダー部３１の「印刷の設定」は、２Ｌ判にマークされ、「オプション設定」は、日付、自動補正、赤目補正にマークされている。また、画像選択部３２は、「２」「７」「８」「１５」「２１」「２８」「２９」の合計７画像がマークされている。
【００７５】
図１０は、ＤＰＯＦファイルがあるときに印刷される写真印刷指示シートＳＨ２をマーキングした例を示す図である。
【００７６】
ヘッダー部３１の「印刷の設定」は、Ｌ判にマークされ、「オプション設定」は、自動補正にマークされている。また、画像選択部４２は、ＤＰＯＦ印刷指示部４５と、「２」「３」「４」「９」「２０」「２４」「２７」の合計７画像とがマークされている。
【００７７】
＜写真印刷指示シート解析印刷＞
次に、マーク記入した記入済み写真印刷指示シートＳＨ１、ＳＨ２を、画像処理装置１００が解析処理し、解析した内容に従って印刷する。
【００７８】
図１１は、写真印刷指示シートＳＨ１、ＳＨ２を解析する動作を示すフローチャートである。
【００７９】
Ｓ３１で、写真印刷指示シートＳＨ１、ＳＨ２を読取部３が読み取る。写真印刷指示シートＳＨ１、ＳＨ２の詳細な読み取り動作については、本発明では限定していない。
【００８０】
次に、Ｓ３２で、読み取った写真印刷指示シートＳＨ１、ＳＨ２のヘッダー部３１を解析する。ヘッダー部３１は、マークシート方式が採用されているので、予め決められた座標のマークエリアに、一定以上の濃度の画素が検出された数量に応じて、マークの塗りつぶしの有無を判別する。
【００８１】
Ｓ３３で、フッター部３３を解析する。なお、実施例１では、フッター部３３に解析する情報がないので、Ｓ３３の処理を省略するようにしてもよい。
【００８２】
Ｓ３４で、バーコード部３４、４４を解析する。バーコード部３４、４４の解析の結果、Ｓ３５でＤＰＯＦファイルがあると判定されたら、解析している写真印刷指示シートはＤＰＯＦ印刷に対応したレイアウトであるので、Ｓ３６で、ＤＰＯＦ印刷指示部４５を解析する。なお、ＤＰＯＦ印刷指示部４５は、画像選択部４２の所定の位置に配置されているものとする。
【００８３】
写真印刷指示シートＳＨ２において、バーコード部４４にＤＰＯＦファイルが存在すると判定されたら、ＤＰＯＦ印刷指示部４５の左上に位置されているマークを解析する。この解析の結果、Ｓ３７で、ユーザのマーキングによってＤＰＯＦ印刷が指定されていたら、Ｓ３８で、メモリに記録されているＤＰＯＦファイルを参照し、ＤＰＯＦファイルを解析する。この結果、Ｓ３９で、ＤＰＯＦ指定された画像データを印刷対象とする。続けて、Ｓ４０で、画像選択部４２を解析する。ここで解析された画像データを、Ｓ４１で、印刷対象の画像データとする。
【００８４】
なお、Ｓ４０とＳ４１とは、ＤＰＯＦ印刷のみを受け付ける仕様であれば、省略するようにしてもよい。
【００８５】
Ｓ３５又はＳ３７で、ＤＰＯＦ印刷の指定がないことが判定されれば、Ｓ４２で、画像選択部３２を解析し、この解析された画像データを、Ｓ４３で、印刷対象の画像データとする。
【００８６】
以上、Ｓ３１〜Ｓ４３の処理で決定された印刷設定に従って、印刷対象となった画像データを、Ｓ４４で、印刷する。
【００８７】
なお、塗りつぶした写真印刷指示シートＳＨ１を、図１１に示すフローチャートに従って解析処理すると、画像「２」「７」「８」「１５」「２１」「２８」「２９」が、日付、自動補正、赤目補正が有効な印刷設定で２Ｌ判の記録用紙に印刷される。
【００８８】
なお、塗りつぶした写真印刷指示シートＳＨ２を、図１１に示すフローチャートに従って解析処理すると、次の画像データが選択される。すなわち、ＤＰＯＦファイルで設定されている画像「４」「５」「１０」「１３」「１５」「１６」「１７」「２５」「２６」と、通常の画像選択によって指定されている画像「２」「３」「４」「９」「２０」「２４」「２７」が選択される。そして、これらの選択画像は、Ｌ判の記録用紙に、自動補正が有効な印刷設定で印刷される。なお、画像「４」については、ＤＰＯＦファイルと画像選択マーキングともに指定されているので、画像「４」を１枚だけ印刷するようにしてもよく、また、ＤＰＯＦ指定、画像選択マーク指定のそれぞれを有効に解釈し、画像「４」を２枚印刷するようにしてもよい。
【実施例２】
【００８９】
本発明の実施例２は、ＤＰＯＦファイルの印刷対象を、写真印刷指示シートで明示する実施例である。
【００９０】
つまり、実施例１では、ＤＰＯＦファイルの印刷対象画像を、写真印刷指示シートから知ることはできないが、実施例２は、図１２に示すように、ＤＰＯＦファイルの印刷対象画像を写真印刷指示シートから知ることができる。
【００９１】
図１２は、メモリにＤＰＯＦファイルが存在するときにおける写真印刷指示シートＳＨ３を模式的に説明する模式図である。
【００９２】
図１２の写真印刷指示シートＳＨ３は、ヘッダー部３１、画像選択部５２、フッター部３３、バーコード部４４を有する。
【００９３】
ＤＰＯＦファイルで選択されている画像を、ＤＰＯＦ印刷指示部３５に続けて画像選択部５２にレイアウトする。実施例２では、画像「４」「５」「１０」「１３」「１５」「１６」「１７」「２５」「２６」が、ＤＰＯＦファイルで指定されているとする。
【００９４】
次に、ＤＰＯＦファイルで選択されていない画像群である旨を説明する通常画像印刷指示部３６が、続けて画像選択部５２にレイアウトされる。
【００９５】
実施例２では、通常画像印刷指示部３６がマークされると、ＤＰＯＦ指定されていない画像データ全てを印刷する。
【００９６】
通常画像印刷指示部３６に続いて、ＤＰＯＦ指定されていない画像データが画像選択部５２にレイアウトされる。
【００９７】
実施例２では画像「１」「２」「３」「６」「７」「８」「９」「１１」「１２」「１４」「１８」「１９」「２０」「２１」「２２」「２３」「２４」「２７」「２８」が、ＤＰＯＦファイルで指定されていないとする。
【００９８】
画像選択部５２では、ＤＰＯＦ印刷指示部３５と通常画像印刷指示部３６とがレイアウトされているので、選択可能な画像データは、図６に示す例の場合である３０枚から２枚減る。具体的には、画像「１」〜「２８」までの合計２８枚の画像を選択できる。したがって、メモリに２９枚以上の画像データが存在する場合、写真印刷指示シートを２枚以上印刷する。
【００９９】
また、ＤＰＯＦ印刷指示部３５と通常画像印刷指示部３６とは、１回の操作で出力される写真印刷指示シートのうちで、１回ずつレイアウトされていれば足りる。したがって、１枚目にＤＰＯＦ印刷指示部３５と通常画像印刷指示部３６とが印刷されていれば、２枚目以降の写真印刷指示シートにレイアウト可能な画像枚数は、３０枚である。
【０１００】
＜写真印刷指示シート印刷＞
次に、写真印刷指示シートＳＨ３を印刷する動作について説明する。
【０１０１】
図１３は、実施例２において、写真印刷指示シートを印刷する動作を示すフローチャートである。
【０１０２】
ここで、図１３の処理フローは図８で説明した処理フローとの差分のみ説明する。
【０１０３】
Ｓ５３で、ＤＰＯＦファイルが存在すると判定されると、図１２に示す写真印刷指示シートＳＨ３を作成するために、Ｓ５４で、ＤＰＯＦ印刷指定部を作成する。Ｓ５５で、ＤＰＯＦファイルで指定されている画像データを、順にレイアウトする。Ｓ５６で、通常画像印刷指示部３６を作成し、Ｓ５７で、ＤＰＯＦファイルで指定されていない画像データを順にレイアウトする。
【０１０４】
また、Ｓ６０で、ＤＰＯＦファイルが存在すると判定されると、Ｓ５４、Ｓ５５の処理で作成されているレイアウトの位置関係を、Ｓ６１で、バーコードに記録する。
【０１０５】
以上、Ｓ１１、Ｓ１２、Ｓ５３〜Ｓ６３の処理によって、図６に示す写真印刷指示シートまたは、図１２に示す写真印刷指示シートＳＨ３が作成され、この作成されたシートを、Ｓ６４で印刷する。
【０１０６】
＜写真印刷指示シート記入＞
次に、印刷された写真印刷指示シートＳＨ３に、ユーザが記入する。
【０１０７】
図１４は、実施例２において、ＤＰＯＦファイルがあるときに印刷された写真印刷指示シートＳＨ３であって、ユーザがマーキングした写真印刷指示シートＳＨ３を示す図である。
【０１０８】
ヘッダー部３１の「印刷の設定」は、Ｌ判がマークされ、「オプション設定」は、自動補正にマークされている。また、画像選択部５２は、ＤＰＯＦ印刷で指定されている画像「２５」、及び、画像「２」「３」「１１」「１２」「１９」「２０」「２２」の合計８画像がマークされている。
【０１０９】
＜写真印刷指示シート解析印刷＞
図１４は、写真印刷指示シートＳＨ３にユーザがマークした状態を示す図である。
【０１１０】
次に、マーク記入した記入済み写真印刷指示シートＳＨ３を、画像処理装置１００が解析処理し、解析した内容に従って印刷する。
【０１１１】
実施例２における解析処理は、実施例１で説明した図１１に示すフローチャートと基本的には同様であるので、差分のみについて説明する。
【０１１２】
図１１に示すＳ３４のバーコード解析によって、図１３に示すＳ６１で記録されたレイアウト情報が検出されると、検出されたレイアウト情報の内容に従って解析処理する。
【０１１３】
図１１に示すフローチャートによれば、図１４に示す写真印刷指示シートＳＨ３のようにマーキングした内容を解析した結果、画像「２」「３」「１１」「１２」「１９」「２０」「２２」「２５」が、Ｌ判の記録用紙に、自動補正された状態で印刷される。
【０１１４】
なお、実施例１、実施例２では、写真の印刷命令をＤＰＯＦを例にして説明したが、本発明は印刷命令のフォーマットは、ＤＰＯＦでなくてもよい。
【０１１５】
上記実施例において、手段を工程に置き換えれば、上記実施例を、方法の発明として把握することができる。
【図面の簡単な説明】
【０１１６】
【図１】画像処理装置１００の外観を示す外観図である。
【図２】画像処理装置１００の構成を示すブロック図である。
【図３】実施例の機能の概要を示す図である。
【図４】実施例の機能の概要を示す図である。
【図５】実施例の全体処理フローを示すフローチャートである。
【図６】実施例１において画像処理装置１００で印刷される写真印刷指示シートの内容を示す模式図である。
【図７】実施例１において画像処理装置１００で印刷される写真印刷指示シートの内容を示す模式図である。
【図８】実施例１において写真印刷指示シートを印刷するフローを示すフローチャートである。
【図９】実施例１の写真印刷指示シート１の記入例である。
【図１０】実施例１の写真印刷指示シート２の記入例である。
【図１１】実施例１において写真印刷指示シートを解析するフローを示すフローチャートである。
【図１２】メモリにＤＰＯＦファイルが存在するときにおける写真印刷指示シートＳＨ３を模式的に説明する模式図である。
【図１３】実施例２において、写真印刷指示シートを印刷する動作を示すフローチャートである。
【図１４】実施例２において、ＤＰＯＦファイルがあるときに印刷された写真印刷指示シートＳＨ３であって、ユーザがマーキングした写真印刷指示シートＳＨ３を示す図である。
【符号の説明】
【０１１７】
１００…画像処理装置（ＭＦＰ）、
１…操作部、
２…カードインタフェース、
３…読取部、
４…記録部、
１１…ＲＯＭ、
１２…ＲＡＭ、
１３…不揮発性ＲＡＭ、
１４…画像処理部、
１５…駆動部、
１６…センサ部、
３１…ヘッダー部、
３２、４２、５２…画像選択部、
３３…フッター部、
３４、４４…バーコード部、
３５、４５…ＤＰＯＦ印刷指示部、
３６…通常画像印刷指示部。
【図１】
2009246616.tif 000003
【図２】
2009246616.tif 000004
【図３】
2009246616.tif 000005
【図４】
2009246616.tif 000006
【図５】
2009246616.tif 000007
【図６】
2009246616.tif 000008
【図７】
2009246616.tif 000009
【図８】
2009246616.tif 000010
【図９】
2009246616.tif 000011
【図１０】
2009246616.tif 000012
【図１１】
2009246616.tif 000013
【図１２】
2009246616.tif 000014
【図１３】
2009246616.tif 000015
【図１４】
2009246616.tif 000016